Podtech/llm-jp-corpus-v4-ja_patent huggingface dataset:
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
各々が青色の光、赤色の光および緑色の光を供給するように構成された複数のライトエンジンモジュールと；、
映像を投影するように構成されたプロジェクタヘッドと；、
前記複数のライトエンジンモジュールから光を受け、受けた光を前記プロジェクタヘッドに伝送するように構成され、少なくとも３ｍの長さを有する光ファイバケーブルと；、
を備え、
各々の前記ライトエンジンモジュールは、
ライトエンジン筐体と；、
前記ライトエンジン筐体に収容された複数の赤色レーザダイオードと；、
前記ライトエンジン筐体に収容された複数の緑色レーザダイオードと；、
前記ライトエンジン筐体に収容された複数の青色レーザダイオードと；、
前記ライトエンジン筐体に収容され、前記レーザダイオードから熱を放散又は除去するよう構成された冷却システムと；、
を備え、
前記複数のライトエンジンモジュールは、ラック内に取り付けられている、モジュール式ビデオプロジェクタシステム。
【請求項２】
前記モジュール式ビデオプロジェクタシステムは、ライトエンジンモジュールを少なくとも５つ有する、請求項１に記載のモジュール式ビデオプロジェクタシステム。
【請求項３】
第１のライトエンジンモジュールにより供給される青色の光は、第２のライトエンジンモジュールにより供給される青色の光と中心波長が異なる、請求項１に記載のモジュール式ビデオプロジェクタシステム。
【請求項４】
第１のライトエンジンモジュールにより供給される緑色の光は、第２のライトエンジンモジュールにより供給される緑色の光と中心波長が異なる、請求項３に記載のモジュール式ビデオプロジェクタシステム。
【請求項５】
第１のライトエンジンモジュールにより供給される赤色の光は、第２のライトエンジンモジュールにより供給される赤色の光と中心波長が異なる、請求項４に記載のモジュール式ビデオプロジェクタシステム。
【請求項６】
前記プロジェクタヘッドは、少なくとも４０００画素の水平解像度を有する映像を投影するように構成されている、請求項１に記載のモジュール式ビデオプロジェクタシステム。
【請求項７】
前記プロジェクタヘッドは、立体映像を投影するように構成されている、請求項１に記載のモジュール式ビデオプロジェクタシステム。
【請求項８】
前記プロジェクタヘッドは、少なくとも１２０Ｈｚのリフレッシュレートを有する映像を投影するように構成されている、請求項１に記載のモジュール式ビデオプロジェクタシステム。
【請求項９】
個々のライトエンジンモジュールは、ライトエンジンモジュールの数を増加又は減少することがそれぞれ、個々のライトエンジンモジュールから提供される光量により前記プロジェクタヘッドからの光出力を増加又は減少させ、これにより前記プロジェクタヘッドに拡張可能な光源を提供するために、ほぼ同じ光出力を提供するように構成されている、請求項１に記載のモジュール式ビデオプロジェクタシステム。
【請求項１０】
モジュール式ビデオプロジェクタシステムに用いられるライトエンジンモジュールであって、
ラック内に取り付けられるように構成されるライトエンジン筐体と；、
前記ライトエンジン筐体内に収容され、赤色の中心波長及び赤色のスペクトル帯域幅を有する赤色の光を生成するように構成された複数の赤色光源と；、
前記ライトエンジン筐体内に収容され、緑色の中心波長及び緑色のスペクトル帯域幅を有する緑色の光を生成するように構成された複数の緑色光源と；、
前記ライトエンジン筐体内に収容され、青色の中心波長及び青色のスペクトル帯域幅を有する青色の光を生成するように構成された複数の青色光源と；、
前記複数の赤色光源から供給される前記赤色の光を光ファイバケーブルへ向けるように構成された赤色光光学システムと；、
前記複数の緑色光源から供給される前記緑色の光を光ファイバケーブルへ向けるように構成された緑色光光学システムと；、
前記複数の青色光源から供給される前記青色の光を光ファイバケーブルへ向けるように構成された青色光光学システムと；、
前記ライトエンジン筐体に収容され、前記光源から熱を放散又は除去するよう構成された冷却システムと；、
を備え、
前記ライトエンジンモジュールは、モジュール式ビデオプロジェクタシステムのプロジェクタヘッドに対して拡張可能な光源を提供するために、他のライトエンジンモジュールと組み合わされている、ライトエンジンモジュール。
【請求項１１】
前記光ファイバケーブルは、前記赤色の光を受光する１以上の光ファイバと、前記緑色の光を受光する１以上の光ファイバと、前記青色の光を受光する１以上の光ファイバと、を有する、請求項１０に記載のライトエンジンモジュール。
【請求項１２】
前記光ファイバケーブルは、長さが少なくとも３ｍである、請求項１１に記載のライトエンジンモジュール。
【請求項１３】
前記赤色光源は、赤色レーザダイオードを有し、前記緑色光源は、緑色レーザダイオードを有し、前記青色光源は、青色レーザダイオードを有する、請求項１０に記載のライトエンジンモジュール。
【請求項１４】
前記赤色光源は、赤色ＬＥＤを有し、前記緑色光源は、緑色ＬＥＤを有し、前記青色光源は、青色ＬＥＤを有する、請求項１０に記載のライトエンジンモジュール。
【請求項１５】
前記赤色ＬＥＤ、緑色ＬＥＤ及び青色ＬＥＤにそれぞれに対応して設けられ、各ＬＥＤからの入力光を受光して偏光を出力するように構成された偏光変換システムと；、
各々の偏光返還システムから出力偏光を受光し、入力光に対応する合成光を出力するように構成された偏光ビームスプリッタと；、
を備え、
各々の偏光変換システムによって受光された光の少なくとも７０％が偏光として出力される、請求項１４に記載のライトエンジンモジュール。
【請求項１６】
プロジェクタヘッドと；、
使用時に、赤色、緑色及び青色の光を前記プロジェクタヘッドに供給する、請求項１０に記載の複数のライトエンジンモジュールと；、
を備える、モジュール式ビデオプロジェクタシステム。
【請求項１７】
前記プロジェクタヘッドは、使用時に、前記複数のライトエンジンモジュールとは異なる空間に配置される、請求項１６に記載のモジュール式ビデオプロジェクタシステム。
【請求項１８】
前記プロジェクタヘッドは、
前記複数のライトエンジンモジュールによって供給された光を変調するように構成された変調素子であって、複数の変調画素を供給するように構成された複数の画素を含む変調素子と、
前記複数の変調画素それぞれを幾何パターンに従って移動させるように構成された光学素子を備える副画素生成器と、
を備える、請求項１６に記載のモジュール式ビデオプロジェクタシステム。
【請求項１９】
複数のプロジェクタヘッドと；、
使用時に、赤色、緑色及び青色の光を前記複数のプロジェクタヘッドに供給する、請求項１０に記載の複数のライトエンジンモジュールと；、
を備える、モジュール式ビデオプロジェクタシステム。
【請求項２０】
前記複数のプロジェクタヘッドの組み合わせは、立体映像を投影するように構成されている、請求項１９に記載のモジュール式ビデオプロジェクタシステム。
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
水陸両用車両の統合装甲を補う装甲アップリケシステムであり、該装甲アップリケシステムは、
水陸両用車両の外殻に個々に取り付け可能な複数の装甲モジュールを含むことにより、水中での車両の有効重量を増加させることなく、水陸両用車両の統合装甲を補う装甲アップリケシステム。
【請求項２】
水陸両用車両の装甲モジュールであり、
該装甲モジュールは、装甲エレメントと、浮力エレメントと、該装甲モジュールを車両の外殻に固定するための係合機構を少なくとも一つ有するモジュール筐体と、を備える装甲モジュール。
【請求項３】
水陸両用車両の統合装甲を補う方法であり、該方法は、
それぞれが装甲エレメント及び浮力エレメントを有する複数の装甲モジュールを提供することと、
前記複数の装甲エレメントを外殻に固定することと、
前記浮力エレメントが前記装甲エレメントと前記外殻との間に位置するように前記装甲モジュールをそれぞれ外殻に配置することと、
前記装甲エレメントを整列させ、連続した装甲層を連続した浮力層及び基礎となる外殻の上方に作るために、前記装甲モジュールを端から端まで配置することと、を含み、
さらに、第１の各装甲モジュールを独立して外殻から取り外すとともに、前記第１の各装甲モジュールを第２の各装甲モジュールと交換することを含む方法。
【請求項４】
それぞれの装甲モジュールが、受動的または能動的な装甲エレメントと、該装甲モジュールを水中に入れたときに少なくとも前記装甲エレメントの重量を相殺する大きさの浮力エレメントと、を備える請求項１に記載の装甲アップリケシステム。
【請求項５】
前記それぞれの装甲モジュールを個々に交換できるように、該それぞれの装甲モジュールは個々に外殻に取り付け可能である請求項４に記載の装甲アップリケシステム。
【請求項６】
前記それぞれの個々に取り付け可能な装甲モジュールは、浮力エレメントの層及び基礎となる外殻部分の上方に連続した装甲層を作るために、前記車両の外殻上に端から端まで配置可能な請求項５に記載の装甲アップリケシステム。
【請求項７】
前記それぞれの個々に取り付け可能な装甲モジュールは、隣り合う装甲モジュールの装甲エレメントと整列可能である請求項６に記載の装甲アップリケシステム。
【請求項８】
前記それぞれの個々に取り付け可能な装甲モジュールは、保護される基礎となる外殻の部分の形状および大きさに近似するように装甲層をカスタマイズできるように、複数の異なる形状及び大きさで提供される請求項５に記載の装甲アップリケシステム。
【請求項９】
前記それぞれの個々に取り付け可能な装甲モジュールは、基礎となる外殻部分の特定の輪郭に依存しない形状および大きさを有する装甲層を提供するために前記外殻上に配置可能な請求項５に記載の装甲アップリケシステム。
【請求項１０】
それぞれの装甲及び浮力エレメントは、前記装甲モジュールが前記車両に固定されたときに、該浮力エレメントが該装甲エレメントと前記外殻との間に位置するように前記モジュール筐体内に配置可能である請求項２に記載の装甲モジュール。
【請求項１１】
前記それぞれの装甲エレメントは、平坦であるとともに、前記外殻に向けた弾道の脅威から前記浮力エレメント及び前記外殻を保護するために、前記外殻に対して平行に向きを合わせられる請求項１０に記載の装甲モジュール。
【請求項１２】
それぞれの浮力エレメントは外殻側及び反対の外側を有し、前記装甲エレメントは、前記浮力エレメントを損傷する恐れなく、及びそれによって浮力エレメントの性能を損なう恐れなく、能動的な装甲の使用を可能にするために、それぞれの浮力エレメントの前記外側に配置可能である請求項１０に記載の装甲モジュール。
【請求項１３】
各装甲モジュールの前記浮力エレメントは、装甲エレメントに対応する重量を相殺する浮力を提供する大きさである請求項１０に記載の装甲モジュール。
【請求項１４】
前記装甲エレメントは、平坦であるとともに水平方向の縁部及び垂直方向の縁部を有し、複数の装甲モジュールを前記外殻上の端から端まで配置することは、連続した装甲層を作るために、前記装甲エレメントの前記水平方向の縁部および前記垂直方向の縁部、あるいは前記装甲エレメントの前記水平方向の縁部又は前記垂直方向の縁部を整列させることである請求項１０に記載の装甲モジュール。
【請求項１５】
前記装甲層と前記外殻との間に、連続した浮力層を作るために前記浮力エレメントが整列される請求項１４に記載の装甲モジュール。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
ケミカルループ燃焼システムにおいて未燃物を酸化させる方法であって、
未燃物を含む、燃料反応器の煙道流を、ガス処理ユニットへ送るステップと、
前記ガス処理ユニットにおいて前記煙道流からＣＯ２を除去するステップと、
前記ガス処理ユニットの煙道流の一部を空気反応器へ送るステップと、
前記空気反応器において空気を用いて、前記ガス処理ユニットの煙道流の前記一部に含まれる未燃物を酸化させるステップと
を含むことを特徴とする方法。
【請求項２】
さらに、
前記ガス処理ユニットの煙道流の一部を前記燃料反応器へ送るステップ
を有する、請求項１記載の方法。
【請求項３】
さらに、
前記ガス処理ユニットの煙道流を、まず後燃焼ユニットへ送るステップ
を有する、請求項１または２に記載の方法。
【請求項４】
さらに、
未燃物を酸化させるため、前記後燃焼ユニット内に空気を送るステップ
を有する、請求項３記載の方法。
【請求項５】
さらに、
前記ガス処理ユニットの煙道流を、まず処理システムへ送るステップ
を有する、請求項１または２に記載の方法。
【請求項６】
前記処理システムは膜システムである、
請求項５記載の方法。
【請求項７】
さらに、
未燃物の濃度がより高い第１の流れと、不活性成分の濃度がより高い第２の流れの２つの流れに、前記ガス処理ユニットの煙道流を分離するステップ
を有する、請求項５または６に記載の方法。
【請求項８】
さらに、
前記処理システムから前記第１の流れを前記燃料反応器へ送るステップ
を有する、請求項７記載の方法。
【請求項９】
さらに、
前記処理システムから前記第２の流れを前記空気反応器へ送るステップ
を有する、請求項７または８に記載の方法。
【請求項１０】
煙道流中の未燃物を酸化させる方法であって、
前記未燃物を含む前記煙道流を、ケミカルループ燃焼システムの空気反応器へ送るステップと、
前記空気反応器において空気の存在下で前記未燃物を酸化させるステップと
を有することを特徴とする方法。
【請求項１１】
さらに、
前記煙道流を前記空気反応器へ送る前に、ガス処理ユニットにおいて、前記未燃物を含む当該煙道流からＣＯ２を除去するステップ
を有する、請求項１０記載の方法。
【請求項１２】
さらに、
前記未燃物を含む前記煙道流の一部を、ケミカルループ燃焼システムの燃料反応器へ送るステップ
を有する、請求項１１記載の方法。
【請求項１３】
さらに、
前記未燃物を含む、前記ガス処理ユニットの煙道流を、まず後燃焼ユニット又は処理システムへ送るステップ
を有する、請求項１１または１２に記載の方法。
【請求項１４】
未燃物を酸化させるための装置であって、
空気反応器と、
前記空気反応器に接続された燃料反応器と、
前記燃料反応器に接続されたガス処理ユニットと
を有し、
前記燃料反応器の煙道流は前記ガス処理ユニットへ送られ、
前記ガス処理ユニットの煙道流の一部は前記空気反応器内に送られ、
前記未燃物は、前記ガス処理ユニットの煙道流に含まれたものである
ことを特徴とする装置。
【請求項１５】
さらに、前記ガス処理ユニットの煙道流の一部が前記燃料反応器へ送られるように、当該ガス処理ユニットは当該燃料反応器に接続されている、
請求項１４記載の装置。
【請求項１６】
前記ガス処理ユニットは後燃焼ユニット、処理システム又は前記空気反応器に接続されている、
請求項１４または１５に記載の装置。
【請求項１７】
前記ガス処理ユニットは後燃焼ユニットに接続され、
前記後燃焼ユニットは前記空気反応器に接続されている、
請求項１６記載の装置。
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
ワイヤレス送信受信ユニット（ＷＴＲＵ）であって、
前記ＷＴＲＵが同時伝送を有するかどうかを判断し、前記伝送の少なくとも１つがクロスリンク伝送を含み、
前記同時伝送の総伝送電力が前記ＷＴＲＵの最大伝送電力を超えるかどうかを判断し、
前記ＷＴＲＵが同時伝送を有し、前記総伝送電力が前記ＷＴＲＵの最大伝送電力を超えるとき、優先度に基づいて電力を再割当てする
ように構成された、ＷＴＲＵ。
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
大腸菌（Ｅｓｃｈｅｒｉｃｈｉａ  ｃｏｌｉ）ｈｔｒＡプロモーター配列に作動可能に連結されたＹｅｒｓｉｎｉａ  ｐｅｓｔｉｓ  Ｆ１−Ｖ融合タンパク質コード配列を含む組換え核酸分子であって、前記核酸分子が配列番号１のヌクレオチド１−１５５８と少なくとも９５％同一の配列を含む、組換え核酸分子。
【請求項２】
前記核酸分子が配列番号１のヌクレオチド１−１５５８の配列を含む、請求項１に記載の組換え核酸分子。
【請求項３】
前記Ｆ１−Ｖ融合タンパク質コード配列にインフレームで融合された分泌シグナルペプチドコード配列をさらに含む、請求項１または請求項２に記載の組換え核酸分子。
【請求項４】
前記分泌シグナルペプチドが大腸菌ＨｌｙＡ分泌シグナルペプチドである、請求項３に記載の組換え核酸分子。
【請求項５】
前記核酸分子の配列が、配列番号１と少なくとも９５％同一である、請求項３または請求項４に記載の組換え核酸分子。
【請求項６】
前記核酸分子の配列が配列番号１を含む、請求項５に記載の組換え核酸分子。
【請求項７】
大腸菌ｈｔｒＡプロモーター配列に作動可能に連結されたＹ．ｐｅｓｔｉｓ  Ｆ１−Ｖ融合タンパク質コード配列を含み、前記Ｆ１−Ｖ融合タンパク質コード配列にインフレームで融合された大腸菌ＨｌｙＡ分泌シグナルペプチド分泌シグナルペプチドコード配列をさらに含む組換え核酸分子であって、前記核酸分子の配列が配列番号１を含む、組換え核酸分子。
【請求項８】
請求項１から７のいずれか一項に記載の組換え核酸分子を含むプラスミド。
【請求項９】
前記プラスミドが低コピー数プラスミドである、請求項８に記載のプラスミド。
【請求項１０】
選択可能なマーカーをさらに含む、請求項８または請求項９に記載のプラスミド。
【請求項１１】
前記選択可能なマーカーが抗生物質耐性遺伝子である、請求項１０に記載のプラスミド。
【請求項１２】
大腸菌ＨｌｙＢおよびＨｌｙＤタンパク質コード配列をさらに含む、請求項８から１１のいずれか一項に記載のプラスミド。
【請求項１３】
請求項７に記載の組換え核酸分子、複製起点、選択可能なマーカーおよび前記大腸菌ＨｌｙＢおよびＨｌｙＤタンパク質コード配列を含むプラスミド。
【請求項１４】
請求項１から７のいずれか一項に記載の組換え核酸分子または請求項８から１３のいずれか一項に記載のプラスミドを含む、Ｓａｌｍｏｎｅｌｌａ  Ｔｙｐｈｉ  Ｔｙ２１ａ細菌。
【請求項１５】
請求項１４に記載のＳａｌｍｏｎｅｌｌａ  Ｔｙｐｈｉ  Ｔｙ２１ａ細菌および薬学的に許容され得るキャリアを含む免疫原性組成物。
【請求項１６】
前記組成物が経口投与用に製剤化される、請求項１５に記載の免疫原性組成物。
【請求項１７】
請求項１４に記載のＳａｌｍｏｎｅｌｌａ  Ｔｙｐｈｉ  Ｔｙ２１ａ細菌、または請求項１５もしくは請求項１６に記載の免疫原性組成物を含む、被験体においてＹｅｒｓｉｎｉａ  ｐｅｓｔｉｓに対する免疫応答を誘発するための組成物。
【請求項１８】
前記免疫応答が防御免疫応答である、請求項１７に記載の組成物。
【請求項１９】
請求項１４に記載のＳａｌｍｏｎｅｌｌａ  Ｔｙｐｈｉ  Ｔｙ２１ａまたは請求項１５もしくは請求項１６に記載の免疫原性組成物を含む、被験体においてペストを予防する、ペストの発症の危険性を低減する、またはペストを処置するための組成物。
【手続補正２】
【補正対象書類名】明細書
【補正対象項目名】００１２
【補正方法】変更
【補正の内容】
【００１２】
本発明の前述のおよび他の目的、特徴、および利点は、添付の図を参照して進める、以下の詳細な説明からより明らかになるだろう。
特定の実施形態では、例えば以下が提供される：
（項目１）
大腸菌（Ｅｓｃｈｅｒｉｃｈｉａ  ｃｏｌｉ）ｈｔｒＡプロモーター配列に作動可能に連結されたＹｅｒｓｉｎｉａ  ｐｅｓｔｉｓＦ１−Ｖ融合タンパク質コード配列を含む組換え核酸分子であって、前記核酸分子が配列番号１のヌクレオチド１−１５５８と少なくとも９５％同一の配列を含む、組換え核酸分子。
（項目２）
前記核酸分子が配列番号１のヌクレオチド１−１５５８の配列を含む、項目１に記載の組換え核酸分子。
（項目３）
前記Ｆ１−Ｖ融合タンパク質コード配列にインフレームで融合された分泌シグナルペプチドコード配列をさらに含む、項目１または項目２に記載の組換え核酸分子。
（項目４）
前記分泌シグナルペプチドが大腸菌ＨｌｙＡ分泌シグナルペプチドである、項目３に記載の組換え核酸分子。
（項目５）
前記核酸分子の配列が、配列番号１と少なくとも９５％同一である、項目３または項目４に記載の組換え核酸分子。
（項目６）
前記核酸分子の配列が配列番号１を含む、項目５に記載の組換え核酸分子。
（項目７）
大腸菌ｈｔｒＡプロモーター配列に作動可能に連結されたＹ．ｐｅｓｔｉｓ  Ｆ１−Ｖ融合タンパク質コード配列を含み、前記Ｆ１−Ｖ融合タンパク質コード配列にインフレームで融合された大腸菌ＨｌｙＡ分泌シグナルペプチド分泌シグナルペプチドコード配列をさらに含む組換え核酸分子であって、前記核酸分子の配列が配列番号１を含む、組換え核酸分子。
（項目８）
項目１から７のいずれか一項に記載の組換え核酸分子を含むプラスミド。
（項目９）
前記プラスミドが低コピー数プラスミドである、項目８に記載のプラスミド。
（項目１０）
選択可能なマーカーをさらに含む、項目８または項目９に記載のプラスミド。
（項目１１）
前記選択可能なマーカーが抗生物質耐性遺伝子である、項目１０に記載のプラスミド。
（項目１２）
大腸菌ＨｌｙＢおよびＨｌｙＤタンパク質コード配列をさらに含む、項目８から１１のいずれか一項に記載のプラスミド。
（項目１３）
項目７に記載の組換え核酸分子、複製起点、選択可能なマーカーおよび前記大腸菌ＨｌｙＢおよびＨｌｙＤタンパク質コード配列を含むプラスミド。
（項目１４）
項目１から７のいずれか一項に記載の組換え核酸分子または項目８から１３のいずれか一項に記載のプラスミドを含む、Ｓａｌｍｏｎｅｌｌａ  Ｔｙｐｈｉ  Ｔｙ２１ａ細菌。
（項目１５）
項目１４に記載のＳａｌｍｏｎｅｌｌａ  Ｔｙｐｈｉ  Ｔｙ２１ａ細菌および薬学的に許容され得るキャリアを含む免疫原性組成物。
（項目１６）
前記組成物が経口投与用に製剤化される、項目１５に記載の免疫原性組成物。
（項目１７）
項目１４に記載のＳａｌｍｏｎｅｌｌａ  Ｔｙｐｈｉ  Ｔｙ２１ａ細菌を被験体に投与するか、または項目１５もしくは項目１６に記載の免疫原性組成物を投与することを含む、前記被験体においてＹｅｒｓｉｎｉａ  ｐｅｓｔｉｓに対する免疫応答を誘発する方法。
（項目１８）
前記免疫応答が防御免疫応答である、項目１７に記載の方法。
（項目１９）
項目１４に記載のＳａｌｍｏｎｅｌｌａ  Ｔｙｐｈｉ  Ｔｙ２１ａを被験体に投与するか、または項目１５もしくは項目１６に記載の免疫原性組成物を投与することを含む、前記被験体においてペストを予防する、ペストの発症の危険性を低減する、またはペストを処置する方法。
【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
少なくとも１種の液体微生物の培養物および担体組成物を含む液体濃縮物から微生物を含有する多孔性粉末製品の製造方法であって、担体組成物は少なくとも１種の炭水化物および少なくとも１種のタンパク質を含み、当該方法は以下の工程：
ｉ）５〜４０℃の温度を有し、かつ当該温度において１５０ｍＰａ．ｓを超える粘度を有するように液体濃縮物を調製する工程；
ｉｉ）食品グレードのガスを０．３ＭＰａを超える圧力で調製濃縮物に注入し、ガスを液体濃縮物に深く取り込んで密度が約０．６〜約１．２ｋｇ／ｌの安定した発泡体を形成する工程；
ｉｉｉ）発泡体を噴霧装置に搬送し、そこで発泡体の圧力を０．３ＭＰａから大気圧に減じ部分的に乾燥した製品を設ける工程；ならびに
ｉｖ）部分的に乾燥した製品を乾燥媒体に曝し、２０℃で測定する場合の水分量を５％未満かつ水分活性を０．２５Ａw未満に下げて多孔性粉末製品を設ける、ここで工程（ｉｖ）における多孔性粉末製品の温度は５０℃を超えない工程；を含む、微生物を含有する多孔性粉末製品の製造方法。
【請求項２】
前記調製濃縮物の温度が２５〜３５℃である、請求項１に記載の方法。
【請求項３】
前記調製濃縮物の温度が約３０℃である、請求項２に記載の方法。
【請求項４】
前記密度が０．８〜１．１ｋｇ／ｌである、請求項１〜３のいずれか１項に記載の方法。
【請求項５】
前記密度が約０．８５ｋｇ／ｌである、請求項４に記載の方法。
【請求項６】
食品グレードのガスは、二酸化炭素、酸素、アルゴン、窒素、二酸化窒素、空気、またはそれらの混合物を含む群から選択される、請求項１〜５のいずれか１項に記載の方法。
【請求項７】
液体培養濃縮物を泡立ちやすくそしてガスを溶解しやすくするために、担体組成物は、マルトデキストリン、ラクトース、マルトース、およびスクロースといったガラス転移温度が５５℃を超える糖類、アラビアゴム、グアーガム、およびキサンタンといった水溶性ゴム、ヒドロキシプロピルメチルセルロース（ＨＰＭＣ）、アルギネート、ペクチン、粉乳、炭水化物、またはタンパク質、あるいはそれらの混合物を含む、請求項１〜６のいずれか１項に記載の方法。
【請求項８】
工程（ｉｖ）は、部分的に乾燥した製品を乾燥チャンバに吐出する第１サブ工程を含む、請求項１〜７のいずれか１項に記載の方法。
【請求項９】
工程（ｉｖ）は、第１サブ工程の後に流動床上で実施する第２サブ工程を含む、請求項８に記載の方法。
【請求項１０】
工程（ｉｖ）において、２０℃で測定する場合の部分的に乾燥した製品の水分活性を０．１〜０．２５Ａwに下げる、請求項１〜９のいずれか１項に記載の方法。
【請求項１１】
工程（ｉｖ）において、２０℃で測定する場合の部分的に乾燥した製品の水分活性を０．１５Ａwに下げる、請求項１０に記載の方法。
【請求項１２】
多孔性粉末製品のかさ密度が０．２ｇ／ｃｍ3〜０．６ｇ／ｃｍ3である、請求項１〜１１のいずれか１項に記載の方法。
【請求項１３】
多孔性粉末製品のかさ密度が約０．３ｇ／ｃｍ3である、請求項１２に記載の方法。
【請求項１４】
多孔性粉末製品は、３０μｍ〜２００μｍの粒子サイズを有する自由流動性の粉末である、請求項１〜１３のいずれか１項に記載の方法。
【請求項１５】
微生物は、細菌、酵母、真菌、およびプロバイオティクスを含む群から選択される、請求項１〜１４のいずれか１項に記載の方法。
【請求項１６】
工程（ｉｉ）を、バッチ処理で動作する密閉タンク内で実施する、請求項１〜１５のいずれか１項に記載の方法。
【請求項１７】
工程（ｉｉ）を、連続処理で動作する熱機械処理装置内で実施する、請求項１〜１５のいずれか１項に記載の方法。
【請求項１８】
熱機械処理装置は、単軸スクリュー押出機、二軸スクリュー押出機、ボテーター、およびスクレープ表面熱交換器を含む群から選択される、請求項１７に記載の方法。
【請求項１９】
工程（ｉ）も熱機械処理装置内で実施し、工程（ｉ）および（ｉｉ）を連続的に実施するように構成する、請求項１７または１８のいずれかに記載の方法。
【請求項２０】
工程（ｉｖ）の後に凝集を行う、請求項１〜１９のいずれか１項に記載の方法。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
ＥＣＤデータを処理するための方法であって、
ＰＱＲＳＴパターンを含む未処理のＥＣＧデータサンプルのストリームを受信することと、
ベースラインワンダを最小化するため、および、各ＰＱＲＳＴパターンのＴ波部分を抑制するために、非線形フィルタを用いて、フィルタされたＥＣＧデータを形成するように前記未処理のＥＣＧデータをフィルタすることと、
各ＰＱＲＳＴパターンのＲのピークを誇張する増幅された信号を形成するために、前記フィルタされたＥＣＧデータ上で非線形動作を実行することと、
前記増幅された信号上で移動最大フィルタを用いて第１の閾値信号と第３の閾値信号とを導くことと、
前記増幅された信号上で移動平均フィルタを用いて第２の閾値信号を導くことと、
遮断周波数が前記第１の閾値信号と前記第２の閾値信号との関数として動的に選択されるフィルタを用いて、フィルタされた閾値信号を形成するように前記第３の閾値信号をフィルタすることと、
サンプル値が前記第１の閾値信号と等しくかつ前記フィルタされた閾値信号より大きい場合にのみ、前記増幅された信号内のサンプルが心拍ポイントであると識別することと、
を含み、
前記未処理のＥＣＧデータをフィルタすることが、
メジアンフィルタとローパスフィルタとのカスケードを用いて前記未処理のＥＣＧデータをフィルタリングすることと、
前記未処理のＥＣＧデータを遅延させることと、
ハイパスフィルタされたデータを伝送するために、前記遅延された未処理のＥＣＧデータから前記ローパスフィルタの出力信号を減算することと、
を含む、方法。
【請求項２】
請求項１に記載の方法であって、
各ＰＱＲＳＴパターンのベースラインワンダを最小化して観察可能なＥＣＧ信号を形成するように、非線形フィルタを用いて前記未処理のＥＣＧデータをフィルタンリングすることと、
各心拍ポイントを示すように前記観察可能なＥＣＧ信号に注釈を付けることと、
を更に含む、方法。
【請求項３】
請求項２に記載の方法であって、
前記未処理のＥＣＧデータをフィルタすることが、
メジアンフィルタとローパスフィルタとのカスケードを用いて前記未処理のＥＣＧデータをフィルタリングすることと、
前記未処理のＥＣＧデータを遅延させることと、
ハイパスフィルタされたデータを伝送するために、前記遅延された未処理のＥＣＧデータから前記ローパスフィルタの出力信号を減算することと、
を含む、方法。
【請求項４】
請求項１に記載の方法であって、
前記増幅された信号が、前記フィルタされたＥＣＧデータを少なくとも１度二乗することによって形成される、方法。
【請求項５】
請求項１に記載の方法であって、
前記第３の閾値信号をフィルタすることが、
１次無限インパルス応答型（ＩＩＲ）フィルタを用いて前記第３の閾値信号をフィルタリングすることと、
前記第１の閾値信号の対数と前記第２の閾値信号の対数との間の差の線形関数として、前記ＩＩＲのための遮断周波数を動的に選択することと、
を含む、方法。
【請求項６】
請求項１に記載の方法であって、
前記第３の閾値信号をフィルタすることが、
１次無限インパルス応答型（ＩＩＲ）フィルタを用いて前記第３の閾値信号をフィルタすることと、
前記第１の閾値信号と前記第２の閾値信号との比の線形関数として前記ＩＩＲのための遮断周波数を動的に選択することと、
を含む、方法。
【請求項７】
請求項１に記載の方法であって、
前記増幅された信号上の移動最大フィルタを用いて第１の閾値信号と第３の閾値信号とを導き出すことが、前記第１の閾値信号の第１のウィンドウ幅と前記第３の閾値信号の異なるウィンドウ幅とを用いる、方法。
【請求項８】
リアルタイムでＥＣＧデータを処理するシステムであって、
コンピュータに結合されたアナログフロントエンドからＰＱＲＳＴパターンを含む未処理のＥＣＧデータサンプルのストリームを受信するための手段と、
ベースラインワンダを最小化し、かつ、各ＰＱＲＳＴパターンのＴ波部分を抑制するために、非線形フィルタを用いることにより、フィルタされたＥＣＧデータを形成するように前記未処理のＥＣＧデータをフィルタするための手段と、
各ＰＱＲＳＴパターンのＲのピークを誇張する増幅された信号を形成するために、前記フィルタされたＥＣＧデータ上で非線形動作を実行するための手段と、
前記増幅された信号上で移動最大フィルタを用いて第１の閾値信号と第３の閾値信号とを導き出すための手段と、
前記増幅された信号上で移動平均フィルタを用いて第２の閾値信号を導き出すための手段と、
遮断周波数が前記第１の閾値信号と前記第２の閾値信号との関数として動的に選択されるフィルタを用いてフィルタされた閾値信号を形成するように、前記第３の閾値信号をフィルタするための手段と、
サンプル値が前記第１の閾値信号と等しく、かつ前記フィルタされた閾値信号より大きい場合にのみ、前記増幅された信号のサンプルが心拍ポイントであると識別するための手段と、
を含み、
前記ＥＣＧデータをフィルタするための手段が、
メジアンフィルタとローパスフィルタとのカスケードを用いて、前記未処理のＥＣＧデータをフィルタするための手段と、
前記未処理のＥＣＧデータを遅延させるための手段と、
ハイパスフィルタされたデータを伝送するために、前記遅延された未処理のＥＣＧデータから前記ローパスフィルタの出力信号を減算するための手段と、
を含む、システム。
【請求項９】
請求項８に記載のシステムであって、
観察可能なＥＣＧ信号を形成するために各ＰＱＲＳＴパターンのベースラインワンダを最小化するように、非線形フィルタを用いて前記未処理のＥＣＧデータをフィルタするための手段と、
各心拍ポイントを示すように前記観察可能なＥＣＧ信号に注釈付けするための手段と、
コンピュータに結合されたディスプレイ上に前記注釈付けされた観察可能なＥＣＧ信号を表示するための手段と、
を更に含む、システム。
【請求項１０】
請求項８に記載のシステムであって、
前記増幅された信号が、前記フィルタされたＥＣＧデータを少なくとも１度二乗することによって形成される、システム。
【請求項１１】
請求項８に記載のシステムであって、
前記第３の閾値信号をフィルタするための手段が、
１次無限インパルス応答型（ＩＩＲ）フィルタを用いて前記第３の閾値信号をフィルタするための手段と、
前記第１の閾値信号の対数と前記第２の閾値信号の対数との間の差の線形関数として前記ＩＩＲのための遮断周波数を動的に選択するための手段と、
を含む、システム。
【請求項１２】
請求項８に記載のシステムであって、
前記第３の閾値信号をフィルタするための手段が、
１次無限インパルス応答型（ＩＩＲ）フィルタを用いて前記第３の閾値信号をフィルタするための手段と、
前記第１の閾値信号と前記第２の閾値信号との比の線形関数として前記ＩＩＲのための遮断周波数を動的に選択するための手段と、
を含む、システム。
【誤訳訂正書】
【提出日】平成28年4月28日(2016.4.28)
【誤訳訂正１】
【訂正対象書類名】明細書
【訂正対象項目名】００４２
【訂正方法】変更
【訂正の内容】
【００４２】
本発明における「環状リポペプチド物質」または「脂環式ペプチド」とは、ポリペプチド環を含有し、この環にある側鎖が「アシルアミノ基」を含有する物質を指すが、この物質はほかの側鎖を有してもよい。
この「環状リポペプチド物質」の代表は、FR901379、echinocandin B(エキノカンジンB)で、このような物質は抗真菌活性を有する既知のものである。
当該発明の固定化脂環式ペプチドアシルトランスフェラーゼは、脂環式ペプチド物質の側鎖の「アミド基」を脱アシル化して「アミノ基」を形成することができ、具体的に、物質FR901379またはその塩のパルミトイル側鎖または物質FR901379を含む、式Ｉで表される化合物のアシル側鎖を脱アシル化し、式ＩＩで表される脂環式ペプチド物質を得ることができる。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
発酵培地内でシンガスを発酵させる工程を含む発酵プロセスであって、このプロセスは、少なくとも約1グラムのエタノール/(L・日・グラム細胞)の比STYを与えるのに有効であり、前記発酵培地は、約1.04ppm未満のホウ素、約0.16ppm未満のマンガン、約0.26ppm未満のモリブデン、又は約0.16ppm未満の銅を有する、発酵プロセス。
【請求項２】
前記発酵培地が下記
細胞1グラム当たり少なくとも約112mgの窒素、
細胞1グラム当たり少なくとも約10.5mgのリン、又は
細胞1グラム当たり少なくとも約26mgのカリウム
の少なくとも1つ以上を含む、請求項1記載の発酵プロセス。
【請求項３】
前記発酵培地が下記
細胞1グラム当たり少なくとも約2.7mgの鉄、
細胞1グラム当たり少なくとも約10μgのタングステン、
細胞1グラム当たり少なくとも約34μgのニッケル、
細胞1グラム当たり少なくとも約9μgのコバルト、
細胞1グラム当たり少なくとも約4.5mgのマグネシウム、
細胞1グラム当たり少なくとも約11mgの硫黄、及び
細胞1グラム当たり少なくとも約6.5μgのチアミン
の1つ以上を含む、請求項1記載の発酵プロセス。
【請求項４】
前記発酵培地のpHを約4.2〜約4.8の範囲で維持する、請求項1記載の発酵プロセス。
【請求項５】
前記シンガスが少なくとも約0.75のCO/CO2比を有する、請求項1記載の発酵プロセス。
【請求項６】
前記発酵が、前記シンガスを1種以上の酢酸生成菌と接触させる工程を含む、請求項1記載の発酵プロセス。
【請求項７】
前記プロセスが少なくとも約1.0g/Lの細胞密度を与えるのに有効である、請求項1記載の発酵プロセス。
【請求項８】
前記プロセスが少なくとも約5〜約99%のCO転化率を与えるのに有効である、請求項1記載の発酵プロセス。
【請求項９】
前記発酵培地が約0.01g/L未満の酵母エキスを有する、請求項1記載の発酵プロセス。
【請求項１０】
前記発酵培地が約0.01g/L未満の炭水化物を有する、請求項1記載の発酵プロセス。
【請求項１１】
下記：
細胞1グラム当たり少なくとも約112mgの窒素、
細胞1グラム当たり少なくとも約10.5mgのリン、又は
細胞1グラム当たり少なくとも約26mgのカリウム
を含んでなる発酵培地であって、
前記発酵培地が、約1.04ppm未満のホウ素、約0.16ppm未満のマンガン、約0.26ppm未満のモリブデン、又は約0.16ppm未満の銅を有する、発酵培地。
【請求項１２】
前記発酵培地が下記
細胞1グラム当たり少なくとも約2.7mgの鉄、
細胞1グラム当たり少なくとも約10μgのタングステン、
細胞1グラム当たり少なくとも約34μgのニッケル、
細胞1グラム当たり少なくとも約9μgのコバルト、
細胞1グラム当たり少なくとも約4.5mgのマグネシウム、
細胞1グラム当たり少なくとも約11mgの硫黄、及び
細胞1グラム当たり少なくとも約6.5μgのチアミン
の1つ以上を含む、請求項11記載の発酵培地。
【請求項１３】
前記発酵培地が約4.2〜約4.8のpHを有する、請求項11記載の発酵培地。
【請求項１４】
前記発酵培地が約0.01g/L未満の酵母エキスを有する、請求項11記載の発酵培地。
【請求項１５】
前記発酵培地が約0.01g/L未満の炭水化物を有する、請求項11記載の発酵培地。
【請求項１６】
細胞1グラム当たり少なくとも約112mgの窒素、
細胞1グラム当たり少なくとも約10.5mgのリン、又は
細胞1グラム当たり少なくとも約26mgのカリウム
を含み、
約625:1以上のNH4+対Bの質量比、又は約4050:1以上のNH4+対Mnの質量比、又は約2500:1以上のNH4+対Moの質量比、又は約4050:1以上のNH4+対Cuの質量比を有し;
或いは約30:1以上のP対Bの質量比、又は約190:1以上のP対Mnの質量比、又は約120:1以上のP対Moの質量比、又は約190:1以上のP対Cuの質量比を有し；
或いは、約35:1以上のK対Bの質量比、又は約245:1以上のK対Mnの質量比、又は約150:1以上のK対Moの質量比、又は約245:1以上のK対Cuの質量比を有する、
発酵培地。
【請求項１７】
前記発酵培地が下記
細胞1グラム当たり少なくとも約2.7mgの鉄、
細胞1グラム当たり少なくとも約10μgのタングステン、
細胞1グラム当たり少なくとも約34μgのニッケル、
細胞1グラム当たり少なくとも約9μgのコバルト、
細胞1グラム当たり少なくとも約4.5mgのマグネシウム、
細胞1グラム当たり少なくとも約11mgの硫黄、及び
細胞1グラム当たり少なくとも約6.5μgのチアミン
の1つ以上を含む、請求項16記載の発酵培地。
【請求項１８】
前記発酵培地のpHを約4.2〜約4.8の範囲で維持する、請求項16記載の発酵培地。
【請求項１９】
発酵培地内でシンガスを発酵させる工程を含む発酵プロセスであって、このプロセスは、少なくとも約1グラムのエタノール/(L・日・グラム細胞)の比STYを与えるのに有効であり、
約625:1以上のNH4+対Bの質量比、又は約4050:1以上のNH4+対Mnの質量比、又は約2500:1以上のNH4+対Moの質量比、又は約4050:1以上のNH4+対Cuの質量比を有し;
或いは約30:1以上のP対Bの質量比、又は約190:1以上のP対Mnの質量比、又は約120:1以上のP対Moの質量比、又は約190:1以上のP対Cuの質量比を有し；
或いは、約35:1以上のK対Bの質量比、又は約245:1以上のK対Mnの質量比、又は約150:1以上のK対Moの質量比、又は約245:1以上のK対Cuの質量比を有する、
【請求項２０】
前記発酵培地が下記
細胞1グラム当たり少なくとも約112mgの窒素、
細胞1グラム当たり少なくとも約10.5mgのリン、又は
細胞1グラム当たり少なくとも約26mgのカリウム
の少なくとも1つ以上を含む、請求項19記載の発酵プロセス。
【請求項２１】
前記発酵培地が下記
細胞1グラム当たり少なくとも約2.7mgの鉄、
細胞1グラム当たり少なくとも約10μgのタングステン、
細胞1グラム当たり少なくとも約34μgのニッケル、
細胞1グラム当たり少なくとも約9μgのコバルト、
細胞1グラム当たり少なくとも約4.5mgのマグネシウム、
細胞1グラム当たり少なくとも約11mgの硫黄、及び
細胞1グラム当たり少なくとも約6.5μgのチアミン
の1つ以上を含む、請求項19記載の発酵プロセス。
【請求項２２】
前記発酵培地のpHを約4.2〜約4.8の範囲で維持する、請求項19記載の発酵プロセス。
【請求項２３】
前記シンガスが少なくとも約0.75のCO/CO2比を有する、請求項19記載の発酵プロセス。
【請求項２４】
前記発酵が、前記シンガスを1種以上の酢酸生成菌と接触させる工程を含む、請求項19記載の発酵プロセス。
【請求項２５】
前記プロセスが少なくとも約1.0g/Lの細胞密度を与えるのに有効である、請求項19記載の発酵プロセス。
【請求項２６】
前記プロセスが少なくとも約5〜約99%のCO転化率を与えるのに有効である、請求項19記載の発酵プロセス。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
頂点において接続される少なくとも３つの面セグメントを有する反射内面を持つ中空レトロリフレクタと、
固体光源とを有し、前記固体光源が、前記固体光源の光軸の、前記面セグメントの各々１つへの射影が、前記中空レトロリフレクタの前記頂点を通過するように、前記面セグメントの各々１つに配設されることにより、前記中空レトロリフレクタの前記頂点の方へ光を発するための固体光源である発光装置。
【請求項２】
前記中空レトロリフレクタの前記面セグメントが、各々が前記中空レトロリフレクタの前記頂点にその頂点を持つ三角形の面セグメントである請求項１に記載の発光装置。
【請求項３】
前記面セグメントの各々が、前記面セグメントに隣接する面セグメントに対して実質的に直角に配設される請求項１又は２に記載の発光装置。
【請求項４】
前記少なくとも３つの面セグメントが、実質的に同じ幾何学的形状を持つ請求項１乃至３のいずれか一項に記載の発光装置。
【請求項５】
前記中空レトロリフレクタが、前記頂点の反対側に三角形の底面を持ち、前記固体光源が、前記中空レトロリフレクタの前記三角形の底面の垂線に沿って配設される請求項２乃至４のいずれか一項に記載の発光装置。
【請求項６】
前記固体光源を直接見ることから保護するよう配設される遮光体を更に有する請求項１乃至５のいずれか一項に記載の発光装置。
【請求項７】
前記遮光体が、前記中空レトロリフレクタの前記反射内面の他のセグメントによって形成される請求項６に記載の発光装置。
【請求項８】
前記中空レトロリフレクタの前記反射内面が、少なくとも部分的に拡散反射するものである請求項１乃至７のいずれか一項に記載の発光装置。
【請求項９】
前記中空レトロリフレクタの前記反射内面が、波長変換材料を有する請求項１乃至８のいずれか一項に記載の発光装置。
【請求項１０】
光拡散器であって、前記中空レトロリフレクタによって反射された光が前記光拡散器を通過するように配設される光拡散器を更に有する請求項１乃至９のいずれか一項に記載の発光装置。
【請求項１１】
各固体光源が、前記各固体光源の光軸の、前記面セグメントの各々１つへの射影が、前記中空レトロリフレクタの前記頂点を通過するように、前記中空レトロリフレクタの前記反射内面の前記面セグメントの各々１つに配設されることにより、前記中空レトロリフレクタの前記頂点の方へ光を発するための固体光源である複数の固体光源を有する請求項１乃至１０のいずれか一項に記載の発光装置。
【請求項１２】
前記固体光源の各々が、異なる色の光を発するよう構成される請求項１１に記載の発光装置。
【請求項１３】
２次元アレイに配設される、複数の、請求項１乃至１２のいずれか一項に記載の発光装置と、前記発光装置によって発される光を拡散するよう配設される拡散器層とを有する光出力装置。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
試料中の酵母又はカビ微生物を検出する方法であって、前記方法が、
試料を水性希釈剤と混合し、接種材料を形成する工程であって、前記水性希釈剤が、約１．０〜約１０．２重量％のグリセロールを含む、工程と、
前記接種材料の所定量を、薄膜培養装置の増殖領域に接触させる工程であって、前記装置が、
頂部面と底部面とを有する防水性基材と、
前記基材の前記頂部面の少なくとも一部に固定されてこれを覆っている、乾燥した冷水で再構成可能な培地であって、前記培地がグアーガム及び／又はキサンタンガム並びに必要に応じて微生物の増殖を支援する栄養素の混合物を含む、培地と、を含む、工程と、
播種された薄膜培養装置を一定時間にわたってインキュベートする工程と、
前記増殖領域内の微生物のコロニーの有無を検出する工程と、
を含む、方法。
【請求項２】
微生物のコロニーの有無を検出する工程が、好浸透圧性微生物又は好乾性微生物の有無を検出することを含む、請求項１に記載の方法。
【請求項３】
微生物を検出するためのキットであって、
ペプトンの有効濃度と、
約１．０〜約１０．２重量％のグリセロールと、
から本質的になる水性希釈剤を含む、キット。
【請求項４】
微生物を増殖させるための薄膜培養装置を更に含み、前記装置が、
頂部面と底部面とを有する防水性基材と、
増殖領域を画定するように、前記基材の前記頂部面の少なくとも一部に固定されてこれを覆っている、乾燥した冷水で再構成可能な培地であって、前記培地が、グアーガム及び／又はキサンタンガム並びに必要に応じて微生物の増殖を支援する栄養素の混合物を含む、培地と、を含む、請求項３に記載のキット。
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
末梢関節および脊椎において軟骨修復、保存および成長を刺激する方法であり：
一定量の顆粒球コロニー刺激因子(“ＧＣＳＦ”)を第１日に注射し；
採血およびその遠沈により計４〜１２ccの血小板富血漿(“ＰＲＰ”)を得て；
骨−軟骨間でのドリリングおよび注射により１〜３ccのＰＲＰを関節の上に注射し、続いて０.１〜０.３ccの凝固剤を注射し；
骨−軟骨間でのドリリングおよび注射により１〜３ccのＰＲＰを関節の下に注射し、続いて０.１〜０.３ccの凝固剤を注射し；そして
残った２〜６ccＰＲＰを関節に注射する
ことを含む、方法。
【請求項２】
さらに２回目の顆粒球コロニー刺激因子を２日目に、ＰＲＰを得るための採血の前に注射することを含む、請求項１に記載の方法。
【請求項３】
(ｉ)末梢関節が膝であり、ＰＲＰを(ｉ)大腿の内側および外側区画の一方および(ii)大腿の内側および外側区画の一方に注射する、
(ii)注射するＧＣＳＦの量が３５０mcgである、または
(iii)ＰＲＰの各注射後に、凝固剤を注射し、凝固のために２〜４分待った後、使用した送達デバイスを除去する、請求項１または２に記載の方法。
【請求項４】
一直線部分ならびにねじ切り、ねじ切り溝および切断先端を備えた先細遠位末端であって、該遠位末端に１個以上の穴を有するもの；
その近位末端にハブおよびルアー
を含む、カニューレ装着軸；および
取り外し可能にしっかりルアー上にかつ周りの空気にカニューレ装着軸を近づけるように配置された衝撃キャップを含み、該衝撃キャップはグリップ可能な外面を有し、
ここで、操作に際し、使用者が可能である衝撃キャップをねじることにより、該軸が治療剤または他の製剤を体の部分に送達するように位置するように、組織を通って前進する、送達デバイス。
【請求項５】
(ｉ)衝撃キャップが軽打力を受け入れ、ルアーおよびカニューレ装着軸を衝撃から保護するように配置されている；
(ii)ハブの上部に隔壁が備えられ、これは、無菌シリンジが、キャップ取り外し後、デバイスが適切な位置になったら、液体を注射するためのカニューレに導入されることを可能にする、または
(iii)カニューレ装着軸の遠位末端の穴がねじ切りの間に配置されている、
少なくとも一つに該当する、請求項４に記載のデバイス。
【請求項６】
操作に際し、使用者はデバイスを初期固定するために最初に衝撃キャップをハンマーまたは他のタッピング装置で軽打し、続いてデバイスをグリップ可能な外面を介してねじり、送達デバイスを所定の位置に進める、請求項４〜５のいずれかに記載のデバイス。
【請求項７】
操作に際し、使用者が高密度皮質骨への初期固定のために最初に衝撃キャップをハンマーまたは他のタッピング装置で軽打し、続いてデバイスをねじり、送達デバイスを海綿骨に進めて固定する、請求項４〜５のいずれかに記載のデバイス。
【請求項８】
さらに
(ｉ)衝撃キャップ上に適合し、それに対する位置に固定するハンドルをさらに含むデバイス、
(ii)衝撃キャップ上に適合し、それに対する位置に固定するハンドルをさらに含むデバイスであって、該ハンドルが衝撃キャップ上に適合し、それに対する位置に固定する人間工学に基づく三葉ハンドルである；または
(iii)ハンドルが衝撃キャップ上に適合し、それに対する位置に固定する人間工学に基づく三葉ハンドルであり、該ハンドルがその近位末端に内臓軽打パッドを備える
少なくとも一つを含む、請求項４〜５のいずれかに記載のデバイス。
【請求項９】
操作に際し、ハンドルが衝撃キャップから取り外され、回され、タッピングパッドがハンマー、木槌またはタッピングデバイスとして使用され、該デバイスを患者の骨に推し進める、請求項８に記載のデバイス。
【請求項１０】
さらにハブ上を滑り、ハブ上のハンドルとの堅い滑合を提供するＯリングを備える、請求項８に記載のデバイス。
【請求項１１】
カニューレ装着された軸とハブが集積的に製造された一つであるか２片で製造され、レーザー溶接される、請求項４〜５のいずれかに記載のデバイス。
【請求項１２】
衝撃キャップとハンドルがくさびを介して接続されており、衝撃キャップとハンドルが使用者がデバイスを患者内にドリルするかまたはねじっても互いに変わらないことが確実となるように配置されている、請求項８に記載のデバイス。
【請求項１３】
(ｉ)切断先端が鋤型ドリル点である、または
(ii)ねじ切りが２.０ピッチ螺旋を有し、切断先端が窒化チタンでコーティングされている、
少なくとも一つに該当する、請求項４〜５のいずれかに記載のデバイス。
【請求項１４】
外部針；
外部針の内側に適合し、該外部針と実質的に同じ長さを有するスタイレット；
該外部針より少なくとも２０％長い内部針
を含む、経皮円板内環状修復のための送達デバイス。
【請求項１５】
(ｉ)内部針がその近位末端につまみおよびルアーロックハブの１個および隔壁を備える、
(ii)内部針が２１〜２５ゲージであり、外部針が１６ゲージである、
(iii)内部針がその近位末端に隔壁を備え、こうして、円板内に挿入したときに完全に閉鎖系を提供する、または
(iv)スタイレットが２１ゲージである、
少なくとも一つに該当する、請求項１４に記載の送達デバイス。
【請求項１６】
操作に際し：
使用者が最初に内側にスタイレットを有する外部針を挿入し；
外部針を、目的とする円板の近くに、しかし円板には到達しないように位置させ；次いでスタイレットを除去し、内部針を外部針の内側に挿入し；そして
液体を内部針を介して導入する、
請求項１４〜１５のいずれかに記載の送達デバイス。
【請求項１７】
(ｉ)外部針および(ii)内部針と外部針の両者を画像誘導下に導入するまたは
(ｉ)外部針および(ii)内部針と外部針の両者を画像誘導下に導入し、該画像誘導が蛍光Ｘ線透視または超音波のいずれかである、
少なくとも一つに該当する、請求項１６に記載の送達デバイス。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
位相コントラストデジタル放射線撮像システムであって、
放射線撮像のための多色Ｘ線源と、
線源回折格子Ｇ０を備えるビーム成形アセンブリ、
位相回折格子Ｇ１および
分析器回折格子Ｇ２を備えるＸ線回折格子干渉計と、
前記位相回折格子Ｇ１によって作成される干渉パターンのピッチに対する前記分析器回折格子Ｇ２のピッチおよび位置は、前記分析器回折格子Ｇ２の幅の上に少なくとも１つの縞パターンを作成する、位相コントラストデジタル放射線撮像システム。
【請求項２】
前記位相コントラストＤＲ撮像システムは、スロット走査位相コントラストＤＲ撮像システムであり、前記３つの回折格子Ｇ０、Ｇ１、およびＧ２の回折格子バーの配向は、スイングアームの走査方向に平行であり、吸収コントラスト画像、微分位相コントラスト画像、位相シフトコントラスト画像、および暗視野画像のうちの少なくとも１つを含む、物体の複数の画像を構築するために、物体の上の前記システムの単一パスからの画像データセットが使用される、請求項１に記載のシステム。
【請求項３】
位相コントラストデジタル放射線撮像システムであって、
放射線撮像のための多色Ｘ線源と、
線源回折格子Ｇ０を備えるビーム成形アセンブリ、
位相回折格子Ｇ１および
分析器回折格子Ｇ２を備えるＸ線回折格子干渉計と、
面積Ｘ線検出器と、を備え、
前記位相回折格子Ｇ１によって作成される干渉パターンのピッチに対する前記分析器回折格子Ｇ２のピッチは、前記面積Ｘ線検出器の位置で異なり、前記位相回折格子Ｇ１および前記分析器回折格子Ｇ２の相対位置は、物体の走査に対して変化せず、Ｎは、前記分析器回折格子Ｇ２の周期を包含するために使用されるステップの数であり、前記物体の前記走査は、前記物体の少なくとも一部分のＮ回の曝露を含む、位相コントラストデジタル放射線撮像システム。